(57)【要約】【課題】  伴奏音を選択的に演奏できる電子楽器として使用可能な電話機を提供する。【解決手段】  伴奏演奏モードにおいてアルペジオあるいはストロークを選択し、楽曲を指定してダウンロードし、その楽曲のコードを演奏するために対応するキーを表示し、その表示を見ながらキーを操作することで指定したコードをアルペジオあるいはストロークで伴奏音を発音させるとともに、主旋律音をバック音として発音させ、電話機の握る力を変えるか振ることにより音量を変化させる。【選択図】      図３
2006098569.tif 000002
【特許請求の範囲】
【請求項１】
少なくとも曲のコードと、そのコードを演奏するときの伴奏方法とを指定するキーを含む入力手段と、
表示手段と、
複数の音の波形データと、演奏する曲のコードを含む楽譜データとを記憶する記憶手段と、
電子音を発音する発音手段と、
前記記憶手段に記憶されている楽譜データに基づいて、演奏する曲のコードに対応するキーを前記表示手段に表示して入力案内を行い、対応するキーからの入力に応じて、そのコードを前記記憶手段に記憶されている複数の音の波形データに基づいて音色付けし、前記伴奏方法が指定されていることに応じて、前記記憶手段から複数の音の波形データを読み出す時間を制御して、前記発音手段から伴奏音としての電子音を発音させるプログラムを実行する制御手段とを備えた、電子楽器として使用可能な電話機。
【請求項２】
前記入力手段は、少なくともアルペジオやストロークを指定してコードを演奏するためのキーを含み、
前記制御手段は、前記アルペジオが指定されたとき、前記記憶手段から複数の音の波形データのそれぞれを時間差を有して読み出し、前記ストロークが指定されたとき、前記複数の音の波形データを同時に読み出す、請求項１に記載の電子楽器として使用可能な電話機。
【請求項３】
前記入力手段は、１拍ごとに音を発音させる１拍演奏モードと、１つの小節の間自動的に音を発音させる１小節演奏モードとを切換えるモード選択手段を含み、
前記制御手段は、前記モード選択手段によって１拍演奏モードあるいは１小節演奏モードが選択されかついずれかのキー入力に応じて、対応する１拍あるいは小節の楽譜データを前記記憶手段から読み出して、対応する伴奏音を前記発音手段から発音させる、請求項１または２に記載の電子楽器として使用可能な電話機。
【請求項４】
前記入力手段は、複数の楽器のいずれかを選択するための楽器選択手段を含み、
前記記憶手段は、前記複数の楽器のそれぞれに対応する波形データを記憶していて、
前記制御手段は、前記楽器選択手段によって選択された楽器に対応して前記記憶手段から読み出した波形データに基づいて、前記コードを音色付けする、請求項１から３のいずれかに記載の電子楽器として使用可能な電話機。
【請求項５】
前記記憶手段は、演奏する曲の主旋律のデータを記憶していて、
前記制御手段は、前記記憶手段から曲の楽譜データとともに主旋律データを読み出し、前記音の波形データにより音色付けして前記発音手段から前記伴奏音に対するバック音として主旋律音を発音させる、請求項１から４のいずれかに記載の電子楽器として使用可能な電話機。
【請求項６】
前記入力手段は、半音あるいはオクターブの上げ下げを指示するキーを含み、
前記制御手段は、前記キーからの指示に応じて、前記記憶手段から波形データの読み出し速度を変化させて、前記発音手段から発音させる音の半音あるいはオクターブを上げ下げする、請求項５に記載の電子楽器として使用可能な電話機。
【請求項７】
前記記憶手段は、演奏したデータを記憶する領域を含み、
前記制御手段は、前記いずれかの楽器が選択されて演奏されたデータを前記記憶手段の記憶領域に記憶し、さらに他の楽器が選択されて同一曲が演奏されたときの演奏データを前記記憶した演奏データに同期して記憶する、請求項４から６のいずれかに記載の電子楽器として使用可能な電話機。
【請求項８】
前記入力手段は、振動あるいは圧力を検出するセンサを含み、
前記制御手段は、前記センサで検出された振動あるいは圧力に応じて前記発音手段から発音される音の音量を変化させる、請求項１から７のいずれかに記載の電子楽器として使用可能な電話機。
【請求項９】
前記制御手段は、複数人が前記電話機を所持して、合奏演奏するときに前記入力手段のいずれかのキーが操作されたことに応じて、前記表示手段または前記発音手段から音の出だしを報知させる、請求項１から８のいずれかに記載の電子楽器として使用可能な電話機。
【請求項１０】
さらに、データを通信する通信手段を含み、
少なくとも前記波形データと、前記楽譜データと、前記プログラムのいずれかを前記データ通信手段を介してダウンロードする、請求項１から９に記載の電子楽器として使用可能な電話機。
【請求項１１】
前記通信手段は、電子メールを送受信し、
前記制御手段は、前記通信手段によって電子メールを送信するとき、前記演奏した演奏データを添付ファイルとして送信する、請求項１０に記載の電子楽器として使用可能な電話機。
【発明の詳細な説明】
【技術分野】
【０００１】
この発明は電子楽器として使用可能な電話機に関し、例えば電子楽器としての機能を持たせた携帯電話機に関する。
【背景技術】
【０００２】
最近の携帯電話機は各種情報サービスを受けたり、インターネット接続もできるようになっている。また、着信時にメロディ音を発生するいわゆる着メロも普及してきている。着メロは初めから携帯電話機に組み込まれている場合と、無線などでダウンロードする場合がある。また、携帯電話機のキーボードから好みの音楽をキー演奏して着メロとして利用できるようにしたものが特開２００２−１１１８０４号公報（特許文献１）に記載されている。
【特許文献１】特開２００２−１１１８０４号公報（段落番号００１７，００１８、図３）
【発明の開示】
【発明が解決しようとする課題】
【０００３】
上記特許文献１に記載された発明は、単に着メロの曲目をキー入力することで好みの音楽データを入力するに過ぎない。しかし、ユーザによっては、携帯電話機を単に電話機としてだけでなく、その他のツールとして持つ喜びを味わいたいという要望がある。
【０００４】
そこで、この発明の目的は、伴奏音を選択的に演奏できる電子楽器として使用可能な電話機を提供することである。
【課題を解決するための手段】
【０００５】
この発明は、少なくとも曲のコードとそのコードを演奏するときの伴奏方法とを指定するキーを含む入力手段と、表示手段と、複数の音の波形データと演奏する曲のコードを含む楽譜データとを記憶する記憶手段と、電子音を発音する発音手段と、記憶手段に記憶されている楽譜データに基づいて、演奏する曲のコードに対応するキーを表示手段に表示して入力案内を行い、対応するキーからの入力に応じて、そのコードを記憶手段に記憶されている複数の音の波形データに基づいて音色付けし、伴奏方法が指定されていることに応じて、記憶手段から複数の音の波形データを読み出す時間を制御して、発音手段から伴奏音としての電子音を発音させるプログラムを実行する制御手段とを備える。
【０００６】
したがって、この発明では、単なる電話機として機能させるだけでなく、伴奏音の演奏が可能な電子楽器としての用途を広めることができ、利用者に持つ喜びを与えることができる。
【０００７】
好ましくは、入力手段は少なくともアルペジオやストロークを指定してコードを演奏するためのキーを含み、制御手段はアルペジオが指定されたとき、記憶手段から複数の音の波形データのそれぞれを時間差を有して読み出し、ストロークが指定されたとき、複数の音の波形データを同時に読み出す。アルペジオやストロークを指定して伴奏演奏が可能になるので、電子楽器として演奏するときの楽しみを増大できる。
【０００８】
好ましくは、入力手段は１拍ごとに音を発音させる１拍演奏モードと、１つの小節の間自動的に音を発音させる１小節演奏モードとを切換えるモード選択手段を含み、制御手段はモード選択手段によって１拍演奏モードあるいは１小節演奏モードが選択されかついずれかのキー入力に応じて、対応する１拍あるいは小節の楽譜データを記憶手段から読み出して、対応する伴奏音を発音手段から発音させる。
【０００９】
好ましくは、入力手段は複数の楽器のいずれかを選択するための楽器選択手段を含み、記憶手段は複数の楽器のそれぞれに対応する波形データを記憶していて、制御手段は楽器選択手段によって選択された楽器の波形データに基づいて、コードを音色付けする。
【００１０】
好ましくは、記憶手段は演奏する曲の主旋律のデータを記憶していて、制御手段は記憶手段から曲の楽譜データとともに主旋律データを読み出し、音の波形データにより音色付けして発音手段から伴奏音に対するバック音として主旋律音を発音させる。
【００１１】
好ましくは、入力手段は半音あるいはオクターブの上げ下げを指示するキーを含み、制御手段はキーからの指示に応じて、記憶手段から波形データの読み出し速度を変化させて、発音手段から発音させる音の半音あるいはオクターブを上げ下げする。半音あるいはオクターブの上げ下げを指定することで、主旋律を演奏するときのスタイルを広げることができる。
【００１２】
好ましくは、記憶手段は演奏したデータを記憶する領域を含み、制御手段はいずれかの楽器が選択されて演奏されたデータを記憶手段の記憶領域に記憶し、さらに他の楽器が選択されて同一曲が演奏されたときの演奏データを記憶する。
【００１３】
好ましくは、入力手段は振動あるいは圧力を検出するセンサを含み、制御手段はセンサで検出された振動あるいは圧力に応じて発音手段から発音される音の音量を変化させる。
【００１４】
好ましくは、制御手段は複数人が電話機を所持して、合奏演奏するときに入力手段のいずれかのキーが操作されたことに応じて、表示手段または発音手段から音の出だしを報知させる。
【００１５】
さらに、データを通信する通信手段を含み、少なくとも波形データと、楽譜データと、プログラムのいずれかをデータ通信手段を介してダウンロードする。
【００１６】
好ましくは、通信手段は電子メールを送受信し、制御手段は通信手段によって電子メールを送信するとき、演奏した演奏データを添付ファイルとして送信する。
【発明の効果】
【００１７】
この発明によれば、楽譜データに基づいて、演奏する曲のコードに対応するキーを表示して入力案内を行い、対応するキーからの入力に応じて、そのコードを複数の音の波形データに基づいて音色付けし、伴奏方法が指定されていることに応じて、複数の音の波形データを読み出す時間を制御して、伴奏音としての電子音を発音させるようにしたので、単なる電話機として機能させるだけでなく、伴奏音の演奏が可能な電子楽器としての用途を広めることができ、利用者に持つ喜びを与えることができる。
【発明を実施するための最良の形態】
【００１８】
図１はこの発明の一実施形態における電子楽器として使用可能な電話機の外観図である。図１において、電話機１には、表示部２と、キーボード３と、通話機能のためのスピーカ４およびマイクロホン５とが設けられている。表示部２とキーボード３は、従来の電話機のための機能を有するとともに、電話機１を電子楽器として機能させるために用いられる。
【００１９】
キーボード３は、「１」，「２」…「０」の数値キー３１と、モードキー３２と、選択キー３３と、設定キー３４と、「＊」キーを兼ねる「♭」キー３５と、「♯」キー３６とを含む。モードキー３２は、電話機モードと電子楽器演奏モード、単独演奏モードと同期演奏モード、主旋律演奏モードと伴奏演奏モード、１拍演奏モードと１小節演奏モードのいずれかのモードを切換えるために操作される。選択キー３３は、モードキー３２で選択されたモードのいずれかを選択するときに操作され、設定キー３４は選択されたモードを設定するときに操作される。
【００２０】
電話機モードは、電話機１を従来の電話機と同様に通話するために使用するモードであり、電子楽器演奏モードは電話機１を電子楽器として使用するモードであり、単独演奏モードは電話機１を電子楽器として１人で演奏するモードであり、同期演奏モードは複数人で同じ曲の主旋律音あるいは伴奏音を同期させて演奏するモードであり、主旋律演奏モードは主旋律を演奏するモードであり、伴奏演奏モードはアルペジオやストロークなどを指定して伴奏演奏するモードであり、１拍演奏モードは、１拍ずつ指定して演奏するモードであり、１小節モードは１小節内の１音を指定するとその小節内を自動演奏するモードである。
【００２１】
数値キー３１は、電話機として使用する際には通話先の電話番号を入力するために操作され、電子楽器として使用する際には、主旋律を演奏するときに各音符を指定し、伴奏演奏するときに各コードを指定するために割当てられている。すなわち、主旋律演奏モードを選択すると、数値キー３１の「１」キーが音符の「ド」、「２」キーが音符の「レ」などに割当てられており、伴奏演奏モードを選択すると、例えば数値キー３１の「１」キーが「コードＣ」、「２」キーが「コードＤ」などに割当てられている。さらに、伴奏方法を選択すると数値キー３１の「２」キーがアルペジオに割当てられていて、「２」キーを押すと指定されたコードがアルペジオで演奏され、「３」キーがストロークに割当てられていて、「３」キーを押すと指定されたコードがストロークで演奏される。
【００２２】
「♭」キー３５または「♯」キー３６は、主旋律演奏モードにおいて数値キー３１のいずれかと同時に操作すると、押されたキーに対応する音が半音上下して♭または♯のかかった音になる。また、「ｂ」キー３５または「♯」キー３６を操作して楽曲全体の調子を変更するようにしてもよい。
【００２３】
表示部２には、演奏する曲のタイトルと、楽器名と、主旋律演奏であるかあるいは伴奏演奏であるかが表示されるとともに、キーボード３から伴奏音のコードや主旋律音を演奏するために音符のキー入力を操作案内するための情報が表示される。
【００２４】
なお、伴奏音としてアルペジオやストローク以外を指定できるようにしてもよい。また、この実施形態では押すべきキーを順次表示部２に表示するが、数値キー３１の各キーを自照キーで構成し、伴奏音，主旋律音を演奏する順に対応するキーを点灯させるようにしてもよい。
【００２５】
図２はこの発明の一実施形態における電子楽器として使用可能な電話機のブロック図である。図１に示した表示部２と、キーボード３と、スピーカ４と、マイクロホン５とは制御部１０に接続されている。制御部１０には、さらにセンサ６と、通信手段としての送受信部７と、波形データ記憶部８と、演奏データ記憶部１１とが接続されている。また、制御部１０は、電子楽器として演奏するための演奏プログラムを記憶するメモリ１０１と、演奏した演奏音データを記憶するメモリ１０２とを内蔵している。
【００２６】
センサ６は、電話機１を振ったり、握る力を変えることで音量を変化させるために設けられており、電話機１を握ったときの圧力を検出する感圧センサや、電話機１を振ることで生じる振動を検出する加速度センサによって構成されている。波形データ記憶部８は、例えばギター，ピアノ，サックスなどの各種楽器の音色の波形データを記憶しており、演奏データ記憶部１１は演奏する曲のコードを含む楽譜データを記憶している。これらの波形データおよび楽譜データは、予めプリセットされているかあるいは、送受信部７を介して図示しないサーバよりダウンロードされる。また、メモリ１０１に記憶されるプログラムをダウンロードするようにしてもよい。
【００２７】
制御部１０は演奏曲である楽曲が選択されると、演奏データ記憶部１１から対応する楽譜データを読み出して、シーケンサ１２に与える。シーケンサ１２は演奏データ記憶部１１から読み出された楽譜データの時間軸を伸張して演奏音を出力する。音源回路１３は、選択された楽器に対応する波形データを波形データ記憶部８から読み出す。音源回路１３はＬＰＦやＢＰＦなどのフィルタ回路と、ＡＤＳＲ（Ａｔｔａｃｋ，Ｄｅｃａｙ，Ｓｕｓｔａｉｎ，Ｒｅｌｅａｓｅ）回路などのエンベロープ波形を生成するシンセサイザ回路であって、シーケンサ１２から与えられる楽譜データに基づく曲に、波形データ記憶部８から読み出された波形データにより音程と速度により音付けしてスピーカ１４から発音させる。
【００２８】
制御回路１０は、伴奏演奏モードにおいて、アルペジオ，ストロークの指示が与えられると、波形データ記憶部８から読み出す波形データの読出しタイミングを変化させる。すなわち、例えば「コードＣ」が指定されたときは、制御部１０は波形データ記憶部８から所定のタイミングで「ドミソ」の波形データを順次読出し、「コードＣ」が指定されかつアルペジオが指示されていれば「ド」，「ミ」，「ソ」の波形データをそれぞれ時間差をずらして読み出し、ストロークが指示されていれば「ド」，「ミ」，「ソ」の波形データをそれぞれ同時に読み出す。また、制御回路１０は、主旋律演奏モードにおいて、半音を上げるときには波形データの読出し速度を早くし、半音を下げるときには波形データの読出し速度を遅くする。
【００２９】
図３〜図６は、この発明の一実施形態の動作を説明するためのフローチャートであり、図７は電話機での演奏状態を示す図であり、図８〜図１０は音量を変化させる状態を示す図である。
【００３０】
まず、利用者は、図１に示したモードキー３２と選択キー３３を操作して、電子楽器演奏モードを選択して設定キー３４を操作することで電話機１を電子楽器として利用することを設定する。さらに、モードキー３２と選択キー３３で単独演奏であるかあるいは同期演奏であるかを選択して設定キー３４を操作する。そして、単独演奏を指定した後、モードキー３２と選択キー３３で主旋律演奏モードであるかあるいは伴奏演奏モードを選択して設定キー３４を操作する。例えば、伴奏演奏モードを選択し、アルペジオで演奏したければ「２」キーを操作し、ストロークで演奏したければ「３」キーを操作した後、モードキー３２と選択キー３３を操作して１拍演奏あるいは１小節演奏、楽器および楽曲を順次選択する。この一連の操作により、電話機１による演奏が可能になる。
【００３１】
制御部１０は、図３に示すステップ（図示ではＳＰと略称する）ＳＰ１において、電話機１を電話機として動作させるかあるいは電子楽器として動作させるか否かを判別する。電子楽器演奏モードが設定されていることを判別すると、ステップＳＰ２において、単独演奏／同期演奏のいずれが選択されているか否かを判別する。単独演奏が選択されていれば、ステップＳＰ３において、主旋律演奏モードまたは伴奏演奏モードのいずれが設定されているか否かを判別する。
【００３２】
伴奏演奏モードが選択されていることを判別すると、ステップＳＰ４において、アルペジオあるいはストローク等の伴奏方法が指定されているか否かを判別する。アルペジオが指定されていればステップＳＰ５において、アルペジオでコード音を発生させることを指定し、ストロークが選択されていればステップＳＰ６においてストロークでコード音を発音させることを指定する。
【００３３】
ステップＳＰ７において、１拍演奏モードで演奏するのかあるいは１小節演奏モードで演奏するのかを判別し、１拍演奏モードで演奏するのであればステップＳＰ８において１拍ごとにキー入力して演奏することを指定し、１小節演奏モードで演奏するのであればステップＳＰ９において１小節の最初の音をキー入力して演奏することを指定する。ステップＳＰ１０において楽器を選択し、ステップＳＰ１１において楽曲を選択し、ステップＳＰ１２において、送受信部７を介してその楽曲のデータをダウンロードする。制御部１０は、ステップＳＰ１３において各種設定を完了する。
【００３４】
これらの設定を完了すると、図４に示すステップＳＰ１４において、設定された楽曲の伴奏音を演奏するために、図７に示すように入力すべきキーを表示部２に表示する。例えば「コードＣ」を演奏するために「１」キーを操作することを表示し、利用者がその表示を見て「１」キーを操作すると、ステップＳＰ１５において対応するキーが操作されたことを判別し、ステップＳＰ１６において、スピーカ１４から「コードＣ」に対応するドミソの伴奏音を発音させる。すなわち、シーケンサ１２から与えられる演奏音に、波形データ記憶部８から対応する波形データを読み出して音程と速度により音付けして、音源回路１３から対応する音の音源信号を発生させ、スピーカ１４から音を発音させる。
【００３５】
もし、アルペジオによるコード演奏が指定されていれば、「コードＣ」のドミソに対応する波形データをそれぞれ時間差を有して読み出し、ストロークによるコード演奏が指定されていれば、「コードＣ」のドミソに対応する波形データを同時に読み出す。このとき演奏データ記憶部１１から楽譜データに基づいて主旋律であるメロディ音が伴奏音のバック音として発音される。
【００３６】
ステップＳＰ１７において、センサ出力が入力されているか否かを判別する。利用者は音量を変化させるために、センサ６が感圧センサであれば、図８に示すように電話機１の側面に設けられている感圧センサを強く握ったり弱く握ったりする。強く握ることで音量を上げ、弱く握ることで音量を下げることができる。また、電話機１を手で握ることなく、図９に示すように指でセンサ６を押す力に変化を加えることで音量を変化させてもよい。
【００３７】
さらに、センサ６として加速度センサを用いる場合には、図１０に示すように電話機１の振る強さを変化させることで音量を変化させることができる。これらの操作により、ビブラートの震え方、音の強弱などのエフェクトを表現することが可能になる。制御部１０は、ステップＳＰ１８において、上述のごとく操作されることによるセンサ６のセンサ出力の変化に基づいて音量を変化させる。
【００３８】
ステップＳＰ１９において、楽曲の演奏が終了したか否かを判別し、終了していなければ、ステップＳＰ１４に戻り、次に入力すべきキーを表示部２に表示する。以下、楽曲の演奏が終了するまで、ステップＳＰ１４〜ＳＰ１９を繰返し、演奏が終了すると処理も終了する。
【００３９】
なお、小節演奏モードにおいては、１小節に限らず、２小節を指定したり、いくつかの小節を続けて演奏するかを指定して演奏するようにしてもよい。
【００４０】
上述のごとく、この実施形態によれば、楽譜に記載されているコードに対応した電話機１のキーを操作することで、種々の楽曲のコードをストロークまたはアルペジオで演奏することができる。
【００４１】
次に、主旋律の演奏について説明する。主旋律演奏モードが設定されていれば、ステップＳＰ３において判別され、図５に示すステップＳＰ２１〜ＳＰ３０の処理を行う。これらの処理は、図３に示すステップＳＰ７〜ＳＰ１６における伴奏音の処理と同じであり、ステップＳＰ２８における入力すべきキー表示として、主旋律の音符に対応するキーが表示される。
【００４２】
利用者が主旋律を演奏しているときに、音の調子を変えたければ、ｂキー３５あるいは♯キー３６を操作するか、モードキー３２でオクターブの上下を設定するモードを指定し、選択キー３３で上下を選択する。ステップＳＰ３１において、ｂキー３５または♯キー３６が操作されているか否かを判別し、いずれかが操作されていれば、ステップＳＰ３２においてｂあるいは♯のかかった音を指定する。ステップＳＰ３１において、ｂキー３５または♯キー３６が操作されていないことを判別したときは、ステップＳＰ３３において、オクターブを上下させることが設定されているか否かを判別し、設定されていればステップＳＰ３４においてオクターブの上下を指定する。
【００４３】
もし、ｂ／♯のかかった音の指定、オクターブの上下設定あるいは音の調子を変えることが設定されていなければ、ステップＳＰ３５，ＳＰ３６，ＳＰ３７に進む。ステップＳＰ３５〜ＳＰ３７は図３のステップＳＰ１７〜ＳＰ１９と同じであり、以下ステップＳＰ２８〜ＳＰ３７の動作を実行する。
【００４４】
したがって、この実施形態によれば、表示部２に表示された音符に対応するキーを操作することで主旋律音を演奏できる。しかも、ｂキー３５あるいは♯キー３６またはオクターブの上下が設定されていれば、波形データ記憶部８から読み出す波形データの読み出し速度を変えることで、音の調子を変えることができる。さらに、主旋律演奏モードにおいても、１小節演奏を指定したときには、１小節内の最初の音を指定すればその１小節内の主旋律が自動演奏される。
【００４５】
次に、同期演奏について説明する。図１１に示すように、例えば３人で同期演奏するものとし、電話機１ａで主旋律を演奏し、電話機１ｂ，１ｃで伴奏音を演奏するものとする。電話機１ａを操作する利用者は、主旋律演奏モードを設定して音の調子を変えたいときには、ｂ／♯のかかった音あるいはオクターブを上下させた音を設定する。
【００４６】
電話機１ａでは、図３に示すステップＳＰ２において同期演奏モードが設定されていることを判別すると、図６に示すステップＳＰ４１において主旋律演奏モードあるいは伴奏演奏モードが設定されているか否かを判別する。主旋律演奏モードが設定されていることを判別すると、図５に示すステップＳＰ２１〜ＳＰ３７の動作を実行して、主旋律を演奏する。
【００４７】
一方、電話機１ｂ，１ｃを操作する利用者は、伴奏演奏モードを選択し、アルペジオ／ストロークを設定する。電話機１ｂ，１ｃでは、ステップＳＰ４１で伴奏演奏モードが設定されていることを判別し、図３および図４に示すステップＳＰ４〜ＳＰ１９の動作を実行し、主旋律に同期して伴奏音を演奏する。
【００４８】
なお、複数人での同期演奏で同期を取るために、表示部２に発光表示器を設けて発光させたり、あるいは音源回路１３から同期音信号を発生させてスピーカ１４から同期音を発音させるのが好ましい。図１１に示すように３人の利用者が３台の電話機１ａ，１ｂ，１ｃで同期演奏する場合、電話機１ａで同期音を発生させることにより、演奏開始の合図をし、他の電話機１ｂ，１ｃとの演奏開始を合わせるようにすればよい。
【００４９】
さらに、図１１に示すように複数人がそれぞれ電話機１を所持し、１人が主旋律を演奏し、他の人がアルペジオ，ストロークの伴奏音を背景として同期演奏することも可能になり、グループで合奏して演奏を楽しむことができる。
【００５０】
なお、上述の実施形態では主旋律または伴奏音を発生するようにしたが、これ以外に副旋律音を発生させてもよい。
【００５１】
さらに、演奏した演奏データをメモリ１０２に記憶しておき、２つ目の楽器を選択し、記憶した演奏曲を再生しながら、同一曲を演奏してその演奏データをメモリ１０２に記憶するように、サウンド・オン・サウンドを楽しむようにしてもよい。
【００５２】
また、演奏した曲の演奏データをメモリ１０２に記憶しておき、添付ファイルに添付して電子メールにて相手側に転送するようにしてもよい。さらに、演奏データをＭＩＤＩデータとして相手側に送信するようにしてもよい。
【００５３】
以上、図面を参照してこの発明の実施形態を説明したが、この発明は、図示した実施形態のものに限定されない。図示された実施形態に対して、この発明と同一の範囲内において、あるいは均等の範囲内において、種々の修正や変形を加えることが可能である。
【産業上の利用可能性】
【００５４】
この発明は、キーを使用してアルペジオやストロークでコード音を演奏できるので、単なる電話機ではなく、電子楽器として利用できる。
【図面の簡単な説明】
【００５５】
【図１】この発明の一実施形態における電子楽器として使用可能な電話機の外観図である。
【図２】この発明の一実施形態における電子楽器として使用可能な電話機のブロック図である。
【図３】この発明の一実施形態における電子楽器として使用可能な電話機の動作を説明するためのフローチャートである。
【図４】この発明の一実施形態における電子楽器として使用可能な電話機の動作を説明するためのフローチャートである。
【図５】この発明の一実施形態における主旋律を演奏するモードを示すフローチャートである。
【図６】同期演奏モードを示すフローチャートである。
【図７】電話機での演奏状態を示す図である。
【図８】電話機を握る力を変えることで音量を変化させる状態を示す図である。
【図９】指の動きで音量を変化させる状態を示す図である。
【図１０】電話機を振ることで音量を変化させる状態を示す図である。
【図１１】同期演奏を示す図である。
【符号の説明】
【００５６】
１  電話機、２  表示部、３  キーボード、４，１４  スピーカ、５  マイクロホン、６  センサ、７  送受信部、８  波形データ記憶部、１０  制御部、１１  演奏データ記憶部、１２  シーケンサ、１３  音源回路、３１  数値キー、３２  モードキー、３３  選択キー、３４  設定キー、３５  ♭キー、３６  ♯キー、１０１，１０２  メモリ。
【図１】
2006098569.tif 000003
【図２】
2006098569.tif 000004
【図３】
2006098569.tif 000005
【図４】
2006098569.tif 000006
【図５】
2006098569.tif 000007
【図６】
2006098569.tif 000008
【図７】
2006098569.tif 000009
【図８】
2006098569.tif 000010
【図９】
2006098569.tif 000011
【図１０】
2006098569.tif 000012
【図１１】
2006098569.tif 000013